(57)【特許請求の範囲】
【請求項１】
受信信号の振幅に対する閾値処理および前記受信信号の位相に対する閾値処理を用いて、硬判定処理を行う硬判定部と、
前記受信信号から生成される信号であり、誤り訂正復号結果を送信時と同じ変調方式で再度変調した信号である再変調信号を用いて、送信側でIQ平面上にマッピングしたシンボルのうち、原点からの距離が等しいシンボルの集合であるリング毎に、前記再変調信号に対応する誤り訂正前の信号のうち、誤り訂正処理に成功した信号の振幅ずれおよび位相ずれを平均化する平均化処理部と
を備え、
前記振幅に対する閾値処理および前記位相に対する閾値処理の少なくとも１つの閾値処理は、前記平均化処理部により平均化された前記誤り訂正処理に成功した信号の振幅ずれおよび位相ずれに基づいて非線形歪補正される
受信装置。
【請求項２】
前記受信信号に対して等化処理を行う等化部を
さらに備え、
前記等化部は、前記硬判定部を含むように構成されている
請求項１に記載の受信装置。
【請求項３】
前記等化部は、DFE(Decision Feedback Equalizer)で構成される
請求項２に記載の受信装置。
【請求項４】
前記等化部は、FFE（feed-forward equalizer）で構成される
請求項２に記載の受信装置。
【請求項５】
前記受信信号に対して位相補正を行う位相同期部を
さらに備え、
前記位相同期部は、前記硬判定部を含むように構成されている
請求項１乃至４のいずれかに記載の受信装置。
【請求項６】
前記硬判定部は、APSK (Amplitude Phase Shift Keying)用の硬判定処理を行う
請求項１乃至５のいずれかに記載の受信装置。
【請求項７】
前記硬判定部は、ASK(Amplitude Shift Keying)用の硬判定処理を行う
請求項１乃至６のいずれかに記載の受信装置。
【請求項８】
受信装置が、
受信信号の振幅に対する閾値処理および前記受信信号の位相に対する閾値処理を用いて、硬判定処理を行い、
前記受信信号から生成される信号であり、誤り訂正復号結果を送信時と同じ変調方式で再度変調した信号である再変調信号を用いて、送信側でIQ平面上にマッピングしたシンボルのうち、原点からの距離が等しいシンボルの集合であるリング毎に、前記再変調信号に対応する誤り訂正前の信号のうち、誤り訂正処理に成功した信号の振幅ずれおよび位相ずれを平均化し、
前記振幅に対する閾値処理および前記位相に対する閾値処理の少なくとも１つの閾値処理は、平均化された前記誤り訂正処理に成功した信号の振幅ずれおよび位相ずれに基づいて非線形歪補正される
受信方法。
【請求項９】
受信信号の振幅に対する閾値処理および前記受信信号の位相に対する閾値処理を用いて、硬判定処理を行う硬判定部と、
前記受信信号から生成される信号であり、誤り訂正復号結果を送信時と同じ変調方式で再度変調した信号である再変調信号を用いて、送信側でIQ平面上にマッピングしたシンボルのうち、原点からの距離が等しいシンボルの集合であるリング毎に、前記再変調信号に対応する誤り訂正前の信号のうち、誤り訂正処理に成功した信号の振幅ずれおよび位相ずれを平均化する平均化処理部と
して、コンピュータを機能させ、
前記振幅に対する閾値処理および前記位相に対する閾値処理の少なくとも１つの閾値処理は、前記平均化処理部により平均化された前記誤り訂正処理に成功した信号の振幅ずれおよび位相ずれに基づいて非線形歪補正される
プログラム。
【発明の詳細な説明】
【技術分野】
【０００１】
本開示は、受信装置および方法、並びにプログラムに関し、特に、硬判定の非線形歪補償を低コストで行うことができるようにした受信装置および方法、並びにプログラムに関する。
【背景技術】
【０００２】
衛星デジタルテレビ放送の変調方式としては、これまでは位相情報のみを使用するPhase Shift Keying (PSK)が用いられてきた。しかしながら4k/8k放送への期待から位相情報に加えて振幅情報も用いるAmplitude Phase Shift Keying (APSK)の採用の動きが高まっている。【０００３】
デジタルテレビ放送の受信機において、受信信号から最も近しい信号点を判定する硬判定処理は様々な用途で使用されている。例えば、位相同期の位相誤差検出や、等化器の等化誤差検出およびDecision Feedback Equalizer (DFE)の入力として使用されている。【０００４】
ここで衛星放送の通信路を考える。衛星中継器はIMUXフィルタ、travelling-wave tube amplifier(TWTA)、OMUXフィルタが存在する。この中で、TWTAは非線形特性を示す。TWTAの入力および出力のコンスタレーションの例を8PSKと32APSKとすると、8PSKでは全シンボル共通に位相回転がかかっているだけであるため、受信機の位相同期により補償が可能である。一方、32APSKではリングごとに半径の縮小率と位相回転量が異なるため、送信点をもとに硬判定をおこなうと硬判定誤りを引き起こし、受信性能の劣化を招いてしまう。【０００５】
そこで、特許文献１においては、次のような硬判定の補正方法が提案されている。日本の衛星放送規格であるARIB STD-B44 (非特許文献１参照)においては、受信機で非線形歪量を推定できるように全信号点が既知信号に含まれている。これら既知信号を平均化した点と受信点とのユークリッド距離を算出し、ユークリッド距離が最も近くなるような平均点を硬判定点とするような補正方法である。
【先行技術文献】
【特許文献】
【０００６】
【特許文献１】特開２０１２−３９２５９号公報
【非特許文献】
【０００７】
【非特許文献１】http://www.arib.or.jp/english/html/overview/doc/2-STD-B44v1_0.pdf
【発明の概要】
【発明が解決しようとする課題】
【０００８】
しかしながら、上述した硬判定の補正方法では、全点とのユークリッド距離を計算し比較する必要がある。一般にデジタル回路において乗算器は大きな回路規模を占めるが、この方法を num APSK に適用すると乗算器が 2*num 個必要となり、受信機のコスト増大を招いてしまう。【０００９】
本開示は、このような状況に鑑みてなされたものであり、硬判定の非線形歪補償を低コストで行うことができるものである。
【課題を解決するための手段】
【００１０】
本開示の一側面の受信装置は、受信信号の振幅に対する閾値処理および前記受信信号の位相に対する閾値処理を用いて、硬判定処理を行う硬判定部と、前記受信信号から生成される信号であり、誤り訂正復号結果を送信時と同じ変調方式で再度変調した信号である再変調信号を用いて、送信側でIQ平面上にマッピングしたシンボルのうち、原点からの距離が等しいシンボルの集合であるリング毎に、前記再変調信号に対応する誤り訂正前の信号のうち、誤り訂正処理に成功した信号の振幅ずれおよび位相ずれを平均化する平均化処理部とを備え、前記振幅に対する閾値処理および前記位相に対する閾値処理の少なくとも１つの閾値処理は、前記平均化処理部により平均化された前記誤り訂正処理に成功した信号の振幅ずれおよび位相ずれに基づいて非線形歪補正される。
【００１６】
前記受信信号に対して等化処理を行う等化部をさらに備え、前記等化部は、前記硬判定部を含むように構成されている。
【００１７】
前記等化部は、DFE(Decision Feedback Equalizer)で構成される。【００１８】
前記等化部は、FFE（feed-forward equalizer）で構成される。【００１９】
前記受信信号に対して位相補正を行う位相同期部をさらに備え、前記位相同期部は、前記硬判定部を含むように構成されている。
【００２０】
前記硬判定は、APSK (Amplitude Phase Shift Keying )用の硬判定である。【００２１】
前記硬判定は、ASK(Amplitude Shift Keying)用の硬判定である。【００２２】
本開示の一側面の受信方法は、受信装置が、受信信号の振幅に対する閾値処理および前記受信信号の位相に対する閾値処理を用いて、硬判定処理を行い、前記受信信号から生成される信号であり、誤り訂正復号結果を送信時と同じ変調方式で再度変調した信号である再変調信号を用いて、送信側でIQ平面上にマッピングしたシンボルのうち、原点からの距離が等しいシンボルの集合であるリング毎に、前記再変調信号に対応する誤り訂正前の信号のうち、誤り訂正処理に成功した信号の振幅ずれおよび位相ずれを平均化し、前記振幅に対する閾値処理および前記位相に対する閾値処理の少なくとも１つの閾値処理は、平均化された前記誤り訂正処理に成功した信号の振幅ずれおよび位相ずれに基づいて非線形歪補正される。
【００２３】
本開示の一側面のプログラムは、受信信号の振幅に対する閾値処理および前記受信信号の位相に対する閾値処理を用いて、硬判定処理を行う硬判定部と、前記受信信号から生成される信号であり、誤り訂正復号結果を送信時と同じ変調方式で再度変調した信号である再変調信号を用いて、送信側でIQ平面上にマッピングしたシンボルのうち、原点からの距離が等しいシンボルの集合であるリング毎に、前記再変調信号に対応する誤り訂正前の信号のうち、誤り訂正処理に成功した信号の振幅ずれおよび位相ずれを平均化する平均化処理部として、コンピュータを機能させ、前記振幅に対する閾値処理および前記位相に対する閾値処理の少なくとも１つの閾値処理は、前記平均化処理部により平均化された前記誤り訂正処理に成功した信号の振幅ずれおよび位相ずれに基づいて非線形歪補正される。
【００２４】
本開示の一側面においては、受信信号の振幅に対する閾値処理および前記受信信号の位相に対する閾値処理を用いて、硬判定処理が行われる。また、前記受信信号から生成される信号であり、誤り訂正復号結果を送信時と同じ変調方式で再度変調した信号である再変調信号を用いて、送信側でIQ平面上にマッピングしたシンボルのうち、原点からの距離が等しいシンボルの集合であるリング毎に、前記再変調信号に対応する誤り訂正前の信号のうち、誤り訂正処理に成功した信号の振幅ずれおよび位相ずれが平均化される。そして、前記振幅に対する閾値処理および前記位相に対する閾値処理の少なくとも１つの閾値処理が、平均化された前記誤り訂正処理に成功した信号の振幅ずれおよび位相ずれに基づいて非線形歪補正される。
【発明の効果】
【００２５】
本技術によれば、硬判定の非線形歪補償を行うことができる。また、本技術によれば、硬判定の非線形歪補償を低コストで行うことができる。【００２６】
なお、本明細書に記載された効果は、あくまで例示であり、本技術の効果は、本明細書に記載された効果に限定されるものではなく、付加的な効果があってもよい。
【図面の簡単な説明】
【００２７】
【図１】衛星中継器モデルの構成を示すブロック図である。
【図２】8PSK変調された送信信号における送信信号点と受信信号点をIQ平面上の座標位置として示す図である。
【図３】32APSK変調された送信信号における送信信号点と受信信号点をIQ平面上の座標位置として示す図である。
【図４】本技術の概要を示すブロック図である。
【図５】本技術の概要を示すブロック図である。
【図６】本技術の受信装置の第１の実施の形態の構成を示すブロック図である。
【図７】等化部の構成例を示すブロック図である。
【図８】位相同期部の構成例を示すブロック図である。
【図９】振幅／位相ずれ平均部の構成例を示すブロック図である。
【図１０】硬判定部の構成例を示すブロック図である。
【図１１】位相計算部の乗算部の構成例を示す回路図である。
【図１２】乗算部の構成例を示す回路図である。
【図１３】32APSKの信号に対して振幅硬判定部の処理を行った例を示す図である。
【図１４】32APSKのリング２に対して位相硬判定部の処理を行った例を示す図である。
【図１５】図６の受信装置の受信処理について説明するフローチャートである。
【図１６】等化処理について説明するフローチャートである。
【図１７】位相同期処理について説明するフローチャートである。
【図１８】硬判定処理について説明するフローチャートである。
【図１９】振幅／位相ずれ平均処理について説明するフローチャートである。
【図２０】本技術の受信装置の第２の実施の形態の構成を示すブロック図である。
【図２１】等化部の構成例を示すブロック図である。
【図２２】図２０の受信装置の受信処理について説明するフローチャートである。
【図２３】等化処理について説明するフローチャートである。
【図２４】本技術の受信装置の第３の実施の形態の構成を示すブロック図である。
【図２５】図２４の受信装置の受信処理について説明するフローチャートである。
【図２６】本技術の受信装置の第４の実施の形態の構成を示すブロック図である。
【図２７】振幅／位相ずれ生成部の構成例を示すブロック図である。
【図２８】振幅／位相ずれ平均部の構成例を示すブロック図である。
【図２９】図２６の受信装置の受信処理について説明するフローチャートである。
【図３０】振幅／位相ずれ生成処理について説明するフローチャートである。
【図３１】振幅／位相ずれ平均処理について説明するフローチャートである。
【図３２】コンピュータの構成例を示すブロック図である。
【発明を実施するための形態】
【００２８】
以下、本開示を実施するための形態（以下実施の形態とする）について説明する。なお、説明は以下の順序で行う。
０．概要
１．第１の実施の形態
２．第２の実施の形態
３．第３の実施の形態
４．第４の実施の形態
５．第５の実施の形態（コンピュータ）
【００２９】
＜０．概要＞
衛星デジタルテレビ放送の変調方式としては、これまでは位相情報のみを使用するPhase Shift Keying (PSK)が用いられてきた。しかしながら4k/8k放送への期待から位相情報に加えて振幅情報も用いるAmplitude Phase Shift Keying (APSK)の採用の動きが高まっている。
【００３０】
デジタルテレビ放送の受信機において、受信信号から最も近しい信号点を判定する硬判定処理は様々な用途で使用されている。例えば、位相同期の位相誤差検出や、等化器の等化誤差検出およびDecision Feedback Equalizer (DFE)の入力として使用されている。
【００３１】
＜衛星中継器モデルの構成例＞
ここで衛星放送の通信路について考える。図１は、衛星中継器モデルの構成を示すブロック図である。衛星は、図１に示されるように、衛星中継モデル１としてモデル化することができる。衛星中継モデル１は、IMUX（Input de-multiplexer）フィルタ１１、TWTA（Travelling Wave Amplifier）１２、およびOMUX（Output multiplexer）フィルタ１３で構成される。送信局からの伝送信号はIMUXフィルタ１１で処理された後、TWTA１２で増幅される。その出力はさらにOMUXフィルタ１３で処理された後、受信局に伝送される。
【００３２】
この中で、TWTAは非線形特性を示す。このような特性を有するTWTA１２においてシミュレーションして得られた入力信号と出力信号の関係が図２と図３に示されている。図２は、8PSK変調された送信信号における送信信号点と受信信号点をIQ平面上の座標位置として示す図である。図２に示されるように、×印で示される入力信号点の座標に対して、出力信号点の座標は＋印で示されるように変化する。すなわち、出力信号点は入力信号点に対して反時計方向に回転している。
【００３３】
図３は、32APSK変調された送信信号における送信信号点と受信信号点をIQ平面上の座標位置として示す図である。図３に示されるように、×印で示される入力信号点の座標に対して、出力信号点の座標は＋印で示されるように変化する。すなわち、出力信号点は入力信号点に対して反時計方向に回転している。その位相回転量は、中心点からの距離毎に異なっており、中心点からの距離がより大きい信号点の位相回転量の方が、より小さい信号点の位相回転量より大きくなっている。さらに、中心点からの距離の縮小率も中心点からの距離毎に異なっている。
【００３４】
以上のように、8PSKでは全シンボル共通に位相回転がかかっているだけであるため、受信機の位相同期により補償が可能である。一方32APSKでは、この送信側でIQ平面上にマッピングしたシンボルのうち、原点からの距離が等しいシンボルの集合であるリングごとに半径の縮小率と位相回転量が異なるため、送信点をもとに硬判定をおこなうと硬判定誤りを引き起こし、受信性能の劣化を招いてしまう。
【００３５】
これに対して、特許文献１においては、次のような硬判定の補正方法が提案されている。日本の衛星放送規格である非特許文献１においては、受信機で非線形歪量を推定できるように全信号点が既知信号に含まれている。これら既知信号を平均化した点と受信点とのユークリッド距離を算出し、ユークリッド距離が最も近くなるような平均点を硬判定点とするような補正方法である。
【００３６】
しかしながら上述した硬判定の補正方法では、全点とのユークリッド距離を計算し比較する必要がある。一般にデジタル回路において乗算器は大きな回路規模を占めるが、この方法を num APSK に適用すると乗算器が 2*num 個必要となり、受信機のコスト増大を招いてしまう。
【００３７】
そこで、本技術においては、受信信号の振幅に対する閾値処理および受信信号の位相に対する閾値処理を用いて、硬判定処理が行われる。その際、振幅に対する閾値処理および位相に対する閾値処理の少なくとも１つの閾値処理が、受信信号から生成される信号に基づいて非線形歪補正される。
【００３８】
図４および図５は、本技術の概要を示すブロック図である。
【００３９】
図４の例においては、受信装置は、補正信号生成部８１および硬判定部８２を含むように構成されている。受信装置においては、振幅に対する閾値処理および位相に対する閾値処理の少なくとも１つの閾値処理が、受信信号から生成される信号に基づいて非線形歪補正される。受信信号は、補正信号生成部８１と硬判定部８２に入力される。
【００４０】
補正信号生成部８１は、入力された受信信号から生成される信号を用いて、閾値処理を非線形歪補正するための補正信号である、平均振幅位相ずれを生成する。なお、受信信号から生成される信号としては、例えば、その既知区間やその誤り復号結果を再変調した信号などがある。補正信号生成部８１は、受信信号から生成される信号を用いて生成された補正信号である平均振幅位相ずれを、硬判定部８２に出力する。
【００４１】
硬判定部８２は、補正信号を用いて、硬判定処理を補正し、補正された硬判定処理を行う。実際には、硬判定部８２は、受信信号の振幅に対する閾値処理および受信信号の位相に対する閾値処理を用いて、硬判定処理を行う。その際に、硬判定部８２は、補正信号を用いて、受信信号の振幅に対する閾値処理および受信信号の位相に対する閾値処理のうち、少なくとも１つの閾値処理を補正する。
【００４２】
具体的には、硬判定部８２は、図５の例において、振幅に対する閾値処理部９１、位相に対する閾値処理部９２、および硬判定結果出力部９３を含むように構成されている。前段より受信信号が振幅に対する閾値処理部９１、位相に対する閾値処理部９２に入力されている。
【００４３】
また、図５のＡに示されるように、閾値処理の補正信号として、平均振幅ずれが振幅に対する閾値処理部９１に入力され、平均位相ずれが位相に対する閾値処理部９２に入力される。振幅に対する閾値処理部９１および位相に対する閾値処理部９２は、それぞれ、平均振幅ずれおよび平均位相ずれに基づいて、受信信号の振幅に対する閾値処理および位相に対する閾値処理を補正し、補正後の閾値処理を行い、閾値処理結果を、硬判定結果出力部９３に出力する。硬判定結果出力部９３は、両方の閾値処理結果から、硬判定結果を後段に出力する。
【００４４】
図５のＢに示されるように、閾値処理の補正信号として、平均振幅ずれが、振幅に対する閾値処理部９１に入力される。振幅に対する閾値処理部９１は、平均振幅ずれに基づいて受信信号の振幅に対する閾値処理を補正し、補正後の閾値処理を行い、閾値処理結果を、硬判定結果出力部９３に出力する。位相に対する閾値処理部９２は、受信信号の位相に対する閾値処理を行い、閾値処理結果を、硬判定結果出力部９３に出力する。硬判定結果出力部９３は、両方の閾値処理結果から、硬判定結果を後段に出力する。
【００４５】
図５のＣに示されるように、閾値処理の補正信号として、平均位相ずれが、位相に対する閾値処理部９２に入力される。位相に対する閾値処理部９２は、平均位相ずれに基づいて受信信号の位相に対する閾値処理を補正し、補正後の閾値処理を行い、閾値処理結果を、硬判定結果出力部９３に出力する。振幅に対する閾値処理部９１は、受信信号の振幅に対する閾値処理を行い、閾値処理結果を、硬判定結果出力部９３に出力する。硬判定結果出力部９３は、両方の閾値処理結果から、硬判定結果を後段に出力する。
【００４６】
以上のように、本技術においては、受信信号から生成される信号（詳細には、受信信号から生成される信号を用いて生成された平均振幅位相ずれ）に基づいて、受信信号の振幅に対する閾値処理および位相に対する閾値処理の少なくとも１つの閾値処理が非線形歪補正される。そして、少なくとも１つが補正された振幅に対する閾値処理および位相に対する閾値処理を用いて硬判定が行われる。
【００４７】
なお、以下、本技術の詳細について、図５のＡの場合（すなわち、受信信号の振幅に対する閾値処理および位相に対する閾値処理の両方の非線形歪が補正されている場合）を例に説明するが、もちろん、この非線形歪補正は、受信信号の振幅に対する閾値処理および位相に対する閾値処理に行われても、受信信号の振幅に対する閾値処理だけ行われても、位相に対する閾値処理だけ行われてもよい。
【００４８】
＜１．第１の実施の形態＞
＜本技術の受信装置の構成例＞
図６は、本技術を適用した受信装置の構成例を示すブロック図である。
【００４９】
図６の例において、受信装置１００は、ASPK衛星デジタルテレビ放送の信号を受信する。なお、送信側でIQ平面上にマッピングしたシンボルのうち、原点からの距離が等しいシンボルの集合であるリングの個数はnである。デジタルテレビ放送においては、一般的に、変調方式や符号化率などの情報が付加されて送信されている。受信装置１００においては、この情報を見て、リングの総数を知ることが可能である。例えば、ARIB STD-B44においては、TMCCと呼ばれる部分の中にこの情報が格納されている。
【００５０】
受信装置１００は、アンテナ１０１、チューナ１０２、ADC(Analog to Digital Convertor)１０３、等化部１０４、位相同期部１０５、振幅／位相ずれ平均部１０６、および誤り訂正部１０７を含むように構成されている。
【００５１】
アンテナ１０１は、放送信号を受信し、チューナ１０２を介して、受信した放送信号をADC１０３に出力する。ADC１０３は、チューナ１０２からのアナログの放送信号を、デジタルデータに変換し、変換されたデジタルデータを、等化部１０４に出力する。
【００５２】
等化部１０４は、例えば、フィードフォワードフィルタのみのFFE（feed-forward equalizer）および図４の硬判定部８２に対応する部を含むように構成される。等化部１０４は、ADC１０３からのデータに対して、等化処理を行い、等化処理が行われたデータを、位相同期部１０５に出力する。なお、等化部１０４は、この等化処理の際に、振幅／位相ずれ平均部１０６からのリング毎の平均振幅および平均位相ずれを入力し、振幅および位相に対する閾値処理を補正し、補正された振幅および位相に対する閾値処理を用いた硬判定を行う。なお、図５を参照して上述したように、補正は、振幅および位相の両方でもよいし、振幅および位相のどちらかでもよい。
【００５３】
位相同期部１０５は、図４の硬判定部８２に対応する部を含むように構成される。位相同期部１０５は、等化部１０４からのデータに対して、位相補正を行い、位相補正後のデータを、振幅／位相ずれ平均部１０６および誤り訂正部１０７に出力する。なお、位相同期部１０５は、この位相補正の際に、振幅／位相ずれ平均部１０６からのリング毎の平均振幅および平均位相ずれを入力し、振幅および位相に対する閾値処理を補正し、補正された振幅および位相の閾値処理を用いた硬判定を行う。
【００５４】
振幅／位相ずれ平均部１０６は、図４の補正信号生成部８１に対応する部である。振幅／位相ずれ平均部１０６は、特開２０１２−６５００８（以下、特許文献１と称する）の１つの実施の形態であり、受信信号の歪情報である振幅と位相ずれを、全信号点を平均化するのではなく、リング毎に平均化している。これにより回路規模の削減を図ることができる。振幅／位相ずれ平均部１０６は、リング毎の平均振幅および平均位相ずれを、等化部１０４および位相同期部１０５に出力する。
【００５５】
誤り訂正部１０７は、放送規格で定められた所定の誤り訂正（FEC（Forward Error Correction））を行い、誤り訂正後のデータを、復号結果として、後段の図示せぬMPEGデコーダに転送する。
【００５６】
＜等化部の構成例＞
図７は、等化部の構成例を示すブロック図である。
【００５７】
図７の例において、等化部１０４は、フィードフォワードフィルタ１１１、硬判定部１１２、およびエラー計算部１１３を含むように構成されている。
【００５８】
フィードフォワードフィルタ１１１は、可変係数フィルタである。フィードフォワードフィルタ１１１は、入力されるデータに対して、フィードフォワードフィルタをかける。すなわち、フィードフォワードフィルタ１１１は、入力されるデータに対して、フィルタ係数との畳み込み演算を行い、畳み込み演算の結果得られる信号を、等化部１０４の出力として、位相同期部１０５に出力するとともに、硬判定部１１２に出力する。フィードフォワードフィルタ１１１は、エラー計算部１１３からの等化誤差を用いてフィルタ係数を更新する。係数更新アルゴリズムとしては、例えば、LMS(Least Mean Squuare)アルゴリズムが用いられる。もちろん、他のアルゴリズムであってもよい。
【００５９】
硬判定部１１２は、図４の硬判定部８２に対応する部であり、スライサ(Slicer)で構成される。硬判定部１１２は、受信信号を基に非線形歪を補正した硬判定を行う。すなわち、硬判定部１１２は、フィードフォワードフィルタ１１１のフィルタ（畳み込み演算）結果について、振幅および位相の閾値処理を用いての硬判定を行う。その際、振幅／位相ずれ平均部１０６からのリング毎の平均振幅(1)乃至(n)、および平均位相ずれ(1)乃至(n)が入力され、振幅および位相の閾値処理が補正されて、補正された振幅および位相の閾値処理が用いられた硬判定処理が行われる。硬判定部１１２は、硬判定結果S’kを、エラー計算部１１３に出力する。
【００６０】
エラー計算部１１３は、硬判定部１１２への入力Skと、硬判定部１１２の出力である硬判定結果S’kから、例えば、ek＝S’k- Skのように、等化誤差ekを求め、それを、フィードフォワードフィルタ１１１に供給する。
【００６１】
＜位相同期部の構成＞
図８は、位相同期部の構成例を示すブロック図である。
【００６２】
図８の例においては、位相同期部１０５は、位相回転器１２１、図７の硬判定部１１２、位相誤差検出部１２３、ループフィルタ１２４、および発振器（NCO）１２５を含むように構成される。
【００６３】
位相回転器１２１は、入力されたデータを、発振器１２５からのek-jθだけ位相回転をかけて位相補正を行い、位相補正後のデータSkを、位相同期部１０５の出力とするとともに、硬判定部１１２および位相誤差検出部１２３に出力する。
【００６４】
硬判定部１１２は、図７で上述したように、受信信号を基に非線形歪を補正した硬判定を行う。すなわち、硬判定部１１２は、フィードフォワードフィルタ１１１のフィルタ（畳み込み演算）結果について、振幅および位相の閾値処理を用いての硬判定を行う。その際、振幅／位相ずれ平均部１０６からのリング毎の平均振幅(1)乃至(n)、および平均位相ずれ(1)乃至(n)が入力され、振幅および位相の閾値処理が補正されて、補正された振幅および位相の閾値処理が用いられた硬判定処理が行われる。硬判定部１１２は、硬判定結果S’kを、位相誤差検出部１２３に出力する。
【００６５】
位相誤差検出部１２３は、位相補正後のデータSkと、硬判定結果S’kとから、例えば、arg(S’k)-arg(Sk)のように位相誤差を求める。位相誤差検出部１２３は、求めた位相誤差を、ループフィルタ１２４に出力する。
【００６６】
ループフィルタ１２４は、位相誤差にループフィルタをかけて、フィルタ後のデータを、発振器１２５に出力する。発振器１２５は、例えば、数値制御発振器で構成される。発振器１２５は、フィルタ後のデータに基づいて発振し、ek-jθを位相回転器１２１に出力する。
【００６７】
＜振幅／位相ずれ平均部の構成例＞
図９は、振幅／位相ずれ平均部の構成例を示すブロック図である。
【００６８】
図９の例においては、振幅／位相ずれ平均部１０６は、振幅計算部１３１、シンボルカウンタ１３２、既知信号生成部１３３、位相ずれ計算部１３４、イネーブル生成部１３５、振幅平均部１３６、および位相ずれ平均部１３７を含むように構成されている。
【００６９】
位相同期部１０５からの受信信号I,Qは、振幅計算部１３１および位相ずれ計算部１３４に入力される。
【００７０】
振幅計算部１３１は、受信信号I,Qの振幅計算を行い、振幅計算結果を、振幅平均部１３６に出力する。
【００７１】
シンボルカウンタ１３２は、カウンタを行い、そのカウンタ値を、既知信号生成部１３３とイネーブル生成部１３５に出力する。既知信号生成部１３３は、シンボルカウンタ１３２からのカウンタ値をもとに、既知信号であるパイロット信号の再生を行い、パイロット信号を生成する。既知信号生成部１３３は、生成したパイロット信号を、位相ずれ計算部１３４に出力する。
【００７２】
位相ずれ計算部１３４は、位相同期部１０５からの受信信号I,Qと、既知信号生成部１３３からのパイロット信号とを比較して、位相ずれを計算し、計算した位相ずれを、位相ずれ平均部１３７に出力する。イネーブル生成部１３５は、シンボルカウンタ１３２からのカウンタ値をもとに、既知信号で、かつ、そのリングのときのみ、アサートされるイネーブル信号を生成する。イネーブル生成部１３５は、生成したイネーブル信号を、振幅平均部１３６の対応する平均処理リングと位相ずれ平均部１３７の対応する平均処理リングに出力する。
【００７３】
振幅平均部１３６は、イネーブル生成部１３５からのイネーブル信号に応じ、振幅計算部１３１からの振幅計算結果を用いて、リング毎の平均振幅を求めて、求めた平均振幅を、等化部１０４および位相同期部１０５に出力する。
【００７４】
具体的には、振幅平均部１３６は、１乃至ｎ番目のリングの振幅についての平均処理を行う平均処理部１４１−１乃至１４１−ｎを含むように構成されている。平均処理部１４１−１乃至１４１−ｎは、イネーブル信号を受けると、振幅計算部１３１からの振幅計算結果を用いて、１乃至ｎ番目のうちの対応するリングの平均振幅を求めて、求めた平均振幅を、等化部１０４および位相同期部１０５に出力する。
【００７５】
位相ずれ平均部１３７は、イネーブル生成部１３５からのイネーブル信号に応じ、位相ずれ計算部１３４からの位相ずれを用いて、リング毎の平均位相ずれを求めて、求めた平均位相ずれを、等化部１０４および位相同期部１０５に出力する。
【００７６】
具体的には、位相ずれ平均部１３７は、１乃至ｎ番目のリングの位相ずれについての平均処理を行う平均処理部１５１−１乃至１５１−ｎを含むように構成されている。平均処理部１５１−１乃至１５１−ｎは、イネーブル信号を受けると、位相ずれ計算部１３４からの位相ずれを用いて、１乃至ｎ番目のうちの対応するリングの平均位相ずれを求めて、求めた平均位相ずれを、等化部１０４および位相同期部１０５に出力する。
【００７７】
＜硬判定部の構成例＞
図１０は、硬判定部の構成例を示すブロック図である。なお、図１０の説明において、k=1乃至nである。
【００７８】
図１０の例において、硬判定部１１２は、位相計算部１６１、振幅硬判定部１６２、位相硬判定部１６３、および回転部１６４を含むように構成されている。
【００７９】
入力信号Skは、位相計算部１６１および振幅硬判定部１６２に入力される。位相計算部１６１は、入力信号Skの位相Arg(Sk)を計算し、計算した位相Arg(Sk)を、振幅硬判定部１６２および位相硬判定部１６３に供給する。
【００８０】
振幅硬判定部１６２は、図５の振幅に対する閾値処理部９１に対応する部を含んで構成されている。実際には、振幅硬判定部１６２は、振幅計算部１７１、振幅閾値計算部１７２、振幅閾値比較部１７３、およびセレクタ１７４を含むように構成される。
【００８１】
振幅計算部１７１は、演算部１８１および乗算部１８２を含むように構成され、入力信号Skに対して、Arg(Sk)だけ逆回転させた後、I成分の絶対値をとることにより、振幅Amp(Sk)を計算し、計算した振幅Amp(Sk)を振幅閾値比較部１７３に出力する。
【００８２】
ここで、シンボルS=I＋ｊ・Qを角度θだけ回転させたS´の求め方は、次の式（１）で示される。
【数１】
0006614155.tif 000002
式（１）の右辺を見ることで、乗算器が４つ必要なことがわかる。
【００８３】
また、乗算部１８２は、回路的には、図１１の例に示されるように構成される。
【００８４】
ここで、バツ印に示されるように、乗算部１８２においては、逆回転後のQ成分が不要である。したがって、図１１の例の乗算部１８２は、回路的には、三角関数変換器１８２ａおよび演算器１８２ｂより構成されている。そして、演算器１８２ｂは、乗算器１８２ｂ−１、乗算器１８２ｂ−２、減算器１８２ｂ−３で構成されている。すなわち、振幅計算に必要な乗算器の数は、２つとなる。
【００８５】
振幅閾値計算部１７２とセレクタ１７４には、平均振幅１乃至ｎが入力される。振幅閾値計算部１７２は、入力された平均振幅１乃至ｎを用いて、次の式（２）を計算することで、振幅閾値を求める。
【数２】
0006614155.tif 000003
一例として、α＝1/2とした場合、各リングの平均位置の中点を閾値点とすることになる。
【００８６】
振幅閾値計算部１７２は、求めた振幅閾値(1)乃至振幅閾値(n-1)を、振幅閾値比較部１７３に出力する。
【００８７】
振幅閾値比較部１７３は、振幅Amp(Sk)と振幅閾値(k)を、例えば、次の式（３）のように比較することにより、信号Skのリング位置を決定する。振幅閾値比較部１７３は、決定したリング位置の情報を、セレクタ１７４に出力する。
【数３】
0006614155.tif 000004
【００８８】
セレクタ１７４は、入力された平均振幅１乃至ｎから、振幅閾値比較部１７３により決定されたリング位置の平均振幅を硬判定振幅として、回転部１６４に出力する。また、セレクタ１７４は、振幅閾値比較部１７３により決定されたリング位置の情報を、位相硬判定部１６３のセレクタ１９４に供給する。
【００８９】
位相硬判定部１６３は、図５の位相に対する閾値処理部９２に対応する部を含んで構成される。実際には、位相硬判定部１６３は、減算器１９１−１乃至１９１−ｎ、位相閾値比較部１９２−１乃至１９２−ｎ、加算器１９３−１乃至１９３−ｎ、およびセレクタ１９４を含むように構成される。
【００９０】
減算器１９１−１乃至１９１−ｎと、加算器１９３−１乃至１９３−ｎには、平均位相ずれ(1)乃至(n)が入力される。減算器１９１−１乃至１９１−ｎは、位相Arg(Sk)から平均位相ずれ(1)乃至(n)分減算（逆回転）し、減算（逆回転）結果を、位相閾値比較部１９２−１乃至１９２−ｎに出力する。
【００９１】
これにより、減算器１９１−１乃至１９１−ｎは、位相計算部１６１からの位相Arg(Sk)に対して、リング毎に平均位相ずれ分補正をかけることができる。位相閾値比較部１９２−１乃至１９２−ｎは、この補正された点において、理想信号点に対する閾値(例えば、各点の位相の平均値)を用いて硬判定を行い、理想信号に対する硬判定位相である補正後硬判定位相(k)を、加算器１９３−１乃至１９３−ｎに出力する。
【００９２】
加算器１９３−１乃至１９３−ｎは、補正後硬判定位相(k)に対して再び平均位相ずれ(k)分、位相ずれを与えた（位相ずれ分だけ回転を戻した）ものを硬判定位相(k)として、セレクタ１９４に出力する。
【００９３】
セレクタ１９４は、セレクタ１７４からのリング位置の硬判定位相(k)を、選択後硬判定位相として、回転部１６４に出力する。
【００９４】
回転部１６４は、セレクタ１７４からの硬判定振幅を、セレクタ１９４からの選択後硬判定位相だけ回転した結果を、硬判定結果S’kとして、後段に出力する。
【００９５】
ここで、回転部１６４は、乗算部１８２と同様に、回路的には、図１２に示されるように構成される。図１２において、回転部１６４は、三角関数変換器１６４ａ、演算器１６４ｂ、および演算器１６４ｃより構成されている。そして、演算器１６４ｂは、乗算器１６４ｂ−１、乗算器１６４ｂ−２、減算器１６４ｂ−３で構成されている。また、演算器１６４ｃは、乗算器１６４ｃ−１、乗算器１６４ｃ−２、減算器１６４ｃ−３で構成されている。すなわち、位相回転に必要な乗算器の数は、４つとなる。
【００９６】
なお、図１０の例においては、振幅に対する閾値処理を用いた硬判定（図中上部）および位相に対する閾値処理を用いて補正した硬判定（図中下部）の両方を備える例を示したが、両方備える場合だけでなく、どちらか一方を備えるようにすることもできる。
【００９７】
以上のように構成される硬判定部１１２においては、乗算器が合計６つ（振幅計算の乗算部１８２−乗算器２つ、位相回転の回転部１６４−乗算器４つ）で構成することができ、コンスタレーション点数によらない。
【００９８】
これに対して、上述した、既知信号を平均化した点と受信点とのユークリッド距離を算出し、ユークリッド距離が最も近くなるような平均点を硬判定点とするような補正方法では、2×num個（例えば、16APSKの場合、32個、32APSKの場合、64個、64APSKの場合、128個）の乗算器が必要であった。以上により、本技術によれば、乗算器がはるかに少ないため、受信装置全体としての回路規模を減らすことができる。
【００９９】
図１３は、32APSKの信号(図２のIQ平面)に対して、振幅硬判定部１６２の処理を行った例を示す図である。
【０１００】
最小の円(リング)は、平均振幅(1)を示している。3番目に小さい円は、平均振幅(2)を示している。5番目に小さい円は、平均振幅(3)を示している。2番目に小さい円は、平均振幅(1)と平均振幅(2)から算出された振幅閾値(1)を示している。4番目に小さい円は、平均振幅(2)と平均振幅(3)から算出された振幅閾値(2)を示している。
【０１０１】
例えば、受信信号の振幅が、平均振幅(1)と平均振幅(2)の間で、かつ、振幅閾値(1)よりも内側であれば、平均振幅(1)のリングとされる。また、例えば、受信信号の振幅が、平均振幅(1)と平均振幅(2)の間で、かつ、振幅閾値(1)よりも外側であれば、平均振幅(2)のリングとされる。
【０１０２】
図１４は、32APSK（図３のIQ平面）のリング２に対して、位相硬判定部１６３の処理を行った例を示す図である。
【０１０３】
位相硬判定部１６３は、今回の受信点(a)に対して、(b)に示されるように、平均位相ずれ(2)分だけ逆回転して補正し、(c)に示される補正した点で硬判定を行う。ここで、位相閾値は理想信号点用としてよい。
【０１０４】
その結果、(d)に示される補正後硬判定位相(2)が出力されて、平均位相ずれ(2)分だけ回転することで、（e）に示される硬判定位相(2)となる。
【０１０５】
なお、図１４の例においては、振幅情報も位相情報も示されているが、実際には、位相硬判定部１６３においては、振幅情報を用いずに、位相情報だけ使用される。
【０１０６】
＜受信装置の処理例＞
次に、図１５のフローチャートを参照して、受信装置１００の受信処理について説明する。
【０１０７】
ステップＳ１０１において、アンテナ１０１は、電波（放送信号）を受信し、チューナ１０２を介して、受信した放送信号をADC１０３に出力する。
【０１０８】
ステップＳ１０２において、ADC１０３は、チューナ１０２からのアナログの放送信号を、デジタルデータに変換し、変換されたデジタルデータを、等化部１０４に出力する。
【０１０９】
ステップＳ１０３において、等化部１０４は、ADC１０３からのデータに対して、等化処理を行い、等化処理が行われたデータを、位相同期部１０５に出力する。なお、等化部１０４は、この等化処理の際に、振幅／位相ずれ平均部１０６からのリング毎の平均振幅および平均位相ずれを入力し、振幅および位相の閾値処理を補正し、補正された振幅および位相の閾値処理を用いた硬判定を行う。この等化処理の詳細については、図１６を参照して後述する。
【０１１０】
ステップＳ１０４において、位相同期部１０５は、等化部１０４からのデータに対して、位相補正を行い、位相補正後のデータを、振幅／位相ずれ平均部１０６および誤り訂正部１０７に出力する。なお、位相同期部１０５は、この位相補正の際に、振幅／位相ずれ平均部１０６からのリング毎の平均振幅および平均位相ずれを入力し、振幅および位相の閾値処理を補正し、補正された振幅および位相の閾値処理を用いた硬判定を行う。この位相同期処理の詳細については、図１７を参照して後述する。
【０１１１】
ステップＳ１０５において、振幅／位相ずれ平均部１０６は、受信信号の振幅および位相ずれを、リング毎に平均化する。振幅／位相ずれ平均部１０６は、リング毎の平均振幅および平均位相ずれを、等化部１０４および位相同期部１０５に出力する。この振幅および位相ずれ平均処理の詳細については、図１９を参照して後述する。
【０１１２】
誤り訂正部１０７は、ステップＳ１０６において、放送規格で定められた所定の誤り訂正を行い、ステップＳ１０７において、誤り訂正後のデータを、復号結果として、後段の図示せぬMPEGデコーダに出力する。
【０１１３】
ステップＳ１０７の後、処理は、ステップＳ１０１に戻り、それ以降の処理が繰り返される。
【０１１４】
次に、図１６のフローチャートを参照して、図１５のステップＳ１０３の等化処理について説明する。
【０１１５】
ステップＳ１２１において、フィードフォワードフィルタ１１１は、ADC１０３からのデータに対して、フィードフォワードフィルタをかけて、等化部１０４の出力として、位相同期部１０５に出力するとともに、硬判定部１１２に出力する。
【０１１６】
ステップＳ１２２において、硬判定部１１２は、受信信号を基に非線形歪を補正した硬判定処理を行う。その際、硬判定部１１２は、振幅／位相ずれ平均部１０６からのリング毎の平均振幅(1)乃至(n)、および平均位相ずれ(1)乃至(n)を入力し、フィードフォワードフィルタ１１１のフィルタ結果について、非線形歪が補正されている振幅および位相の閾値処理を用いた硬判定を行う。この硬判定処理については、図１８を参照して後述する。
【０１１７】
硬判定部１１２は、硬判定結果S’kを、エラー計算部１１３に出力する。
【０１１８】
ステップＳ１２３において、エラー計算部１１３は、硬判定部１１２への入力Skと、硬判定部の出力である硬判定結果S’kから、例えば、ek＝S’k- Skのように、等化誤差ekを求め、それを、フィードフォワードフィルタ１１１に供給する。
【０１１９】
ステップＳ１２４において、フィードフォワードフィルタ１１１は、ステップＳ１２３で求められた等化誤差ekを用いて、フィルタの係数更新を行う。以上のようにして等化処理が行われる。
【０１２０】
次に、図１７のフローチャートを参照して、図１５のステップＳ１０４の位相同期処理について説明する。
【０１２１】
ステップＳ１４１において、位相回転器１２１は、入力されたデータを、発振器１２５からのek-jθだけ位相回転をかけて位相補正を行い、位相補正後のデータSkを、位相同期部１０５の出力とするとともに、硬判定部１１２および位相誤差検出部１２３に出力する。
【０１２２】
ステップＳ１４２において、硬判定部１１２は、受信信号を基に非線形歪を補正した硬判定処理を行う。その際、硬判定部１１２は、振幅／位相ずれ平均部１０６からのリング毎の平均振幅(1)乃至(n)、および平均位相ずれ(1)乃至(n)を入力し、位相回転されたデータについて、非線形歪が補正されている振幅および位相の閾値処理を用いた硬判定を行う。この硬判定処理については、図１８を参照して後述する。
【０１２３】
硬判定部１１２は、硬判定結果S’kを、位相誤差検出部１２３に出力する。
【０１２４】
位相誤差検出部１２３は、ステップＳ１４３において、位相補正後のデータSkと、硬判定結果S’kとから、例えば、arg(S’k)-arg(Sk)のように位相誤差を求める。位相誤差検出部１２３は、求めた位相誤差を、ループフィルタ１２４を介して、発振器１２５に出力する。
【０１２５】
発振器１２５は、ステップＳ１４４において、フィルタ後のデータ（求めた位相誤差）に基づいて発振し、発振したek-jθを、次の位相回転に用いるために、位相回転器１２１に出力する。
【０１２６】
次に、図１８のフローチャートを参照して、図１６のステップＳ１２２および図１７のステップＳ１４２の硬判定処理について説明する。
【０１２７】
入力信号Skは、位相計算部１６１および振幅硬判定部１６２に入力される。ステップＳ１６１において、位相計算部１６１は、入力信号Skの位相Arg(Sk)を計算し、計算した位相Arg(Sk)を、振幅硬判定部１６２および位相硬判定部１６３に供給する。
【０１２８】
ステップＳ１６２において、振幅計算部１７１は、図１１を参照して上述したように、入力信号Skに対して、Arg(Sk)だけ逆回転させた後、I成分の絶対値をとることにより、振幅Amp(Sk)を計算し、計算した振幅Amp(Sk)を振幅閾値比較部１７３に出力する。
【０１２９】
振幅閾値計算部１７２とセレクタ１７４には、平均振幅１乃至ｎが入力される。振幅閾値計算部１７２は、ステップＳ１６３において、入力された平均振幅１乃至ｎを用いて、上述した式（２）を計算することで、振幅閾値を求める。振幅閾値計算部１７２は、求めた振幅閾値(1)乃至振幅閾値(n-1)を、振幅閾値比較部１７３に出力する。
【０１３０】
振幅閾値比較部１７３は、ステップＳ１６４において、振幅Amp(Sk)と振幅閾値(k)を、例えば、上述した式（３）のように比較し、受信信号Skのリング位置を決定する。振幅閾値比較部１７３は、決定したリング位置の情報を、セレクタ１７４に出力する。
【０１３１】
セレクタ１７４は、ステップＳ１６５において、入力された平均振幅１乃至ｎから、振幅閾値比較部１７３により決定されたリング位置の平均振幅を硬判定振幅として、回転部１６４に出力する。
【０１３２】
また、セレクタ１７４は、振幅閾値比較部１７３により決定されたリング位置の情報を、位相硬判定部１６３のセレクタ１９４に供給する。
【０１３３】
一方、減算器１９１−１乃至１９１−ｎは、ステップＳ１６６において、位相計算部１６１からの位相Arg(Sk)に対して、リング毎に平均位相ずれ分だけ補正をかける。
【０１３４】
ステップＳ１６７において、位相閾値比較部１９２−１乃至１９２−ｎは、この補正された点において、理想信号点に対する閾値(例えば、各点の位相の平均値)を用いて硬判定を行い、理想信号に対する硬判定位相である補正後硬判定位相(k)を、加算器１９３−１乃至１９３−ｎに出力する。
【０１３５】
ステップＳ１６８において、加算器１９３−１乃至１９３−ｎは、補正後硬判定位相(k)に対して位相ずれ分だけ回転を戻し、硬判定位相(k)として、セレクタ１９４に出力する。
【０１３６】
ステップＳ１６９において、セレクタ１９４は、セレクタ１７４からのリング位置の硬判定位相(k)を、選択後硬判定位相として、回転部１６４に出力する。
【０１３７】
ステップＳ１７０において、回転部１６４は、セレクタ１７４からの硬判定振幅を、セレクタ１９４からの選択後硬判定位相だけ回転した結果を、硬判定結果S’kとして、後段に出力する。
【０１３８】
次に、図１９のフローチャートを参照して、図１５のステップＳ１０５において、振幅／位相ずれ平均処理を説明する。
【０１３９】
位相同期部１０５からの受信信号I,Qは、振幅計算部１３１および位相ずれ計算部１３４に入力される。
【０１４０】
ステップＳ１８１において、振幅計算部１３１は、受信信号I,Qの振幅計算を行い、振幅計算結果を、振幅平均部１３６に出力する。
【０１４１】
また、シンボルカウンタ１３２は、カウンタを行い、そのカウンタ値を、既知信号生成部１３３とイネーブル生成部１３５に出力する。
【０１４２】
既知信号生成部１３３は、ステップＳ１８２において、シンボルカウンタ１３２からのカウンタ値をもとに、既知信号であるパイロット信号の再生を行い、パイロット信号を生成する。既知信号生成部１３３は、生成したパイロット信号を、位相ずれ計算部１３４に出力する。
【０１４３】
ステップＳ１８３において、位相ずれ計算部１３４は、位相同期部１０５からの受信信号I,Qと、既知信号生成部１３３からのパイロット信号とを比較して、位相ずれを計算し、計算した位相ずれを、位相ずれ平均部１３７に出力する。
【０１４４】
ステップＳ１８４において、イネーブル生成部１３５は、シンボルカウンタ１３２からのカウンタ値をもとに、既知信号で、かつ、そのリングのときのみアサートされるイネーブル信号を生成する。イネーブル生成部１３５は、生成したイネーブル信号を、振幅平均部１３６の対応する平均処理リングと位相ずれ平均部１３７の対応する平均処理リングに出力する。
【０１４５】
ステップＳ１８５において、振幅平均部１３６は、イネーブル生成部１３５からのイネーブル信号に応じ、リング毎に振幅の平均処理を行う。すなわち、振幅平均部１３６は、イネーブル生成部１３５からのイネーブル信号に応じ、振幅計算部１３１からの振幅計算結果を用いて、リング毎の平均振幅を求めて、求めた平均振幅を、等化部１０４および位相同期部１０５に出力する。出力された平均振幅は、図１５のステップＳ１３の等化処理と、ステップＳ１４の位相同期処理に用いられる。
【０１４６】
ステップＳ１８６において、位相ずれ平均部１３７は、イネーブル生成部１３５からのイネーブル信号に応じ、リング毎に位相ずれの平均処理を行う。すなわち、位相ずれ平均部１３７は、イネーブル生成部１３５からのイネーブル信号に応じ、位相ずれ計算部１３４からの位相ずれを用いて、リング毎の平均位相ずれを求めて、求めた平均位相ずれを、等化部１０４および位相同期部１０５に出力する。出力された平均位相ずれは、図１５のステップＳ１０３の等化処理と、ステップＳ１０４の位相同期処理に用いられる。以上のようにして、振幅／位相ずれ平均処理は終了される。
【０１４７】
以上、説明してきたように、本技術によれば、硬判定部１１２において、乗算器が合計６つ（振幅計算の乗算部１８２の乗算器２つ、位相回転の回転部１６４の乗算器４つ）で構成することができ、コンスタレーション点数によらない。
【０１４８】
したがって、本技術によれば、乗算器がはるかに少ないため、受信装置全体としての回路規模を減らすことができる。これにより、硬判定の非線形歪補償を、低コストで実現することが可能となる。
【０１４９】
なお、図６の例においては、本技術の硬判定を行う部として、FFEで構成される等化部１０４を用いる例を示したが、図６の例において、等化部１０４の代わりに、次に説明する図２０のDFE(Decision Feedback Equalizer)で構成される等化部２０１を用いて、受信装置を構成するようにしてもよい。この場合、硬判定結果は、等化誤差の計算の他に、フィードバックフィルタの入力としても使用される。したがって、処理性能を向上させることができる。
【０１５０】
また、図６の例において、本技術の硬判定を行う部として、等化部１０４と位相同期部１０５の順番を入れ替えて受信装置を構成することもできる。図６の例において、等化部１０４の代わりに、等化部２０１で構成する場合も同様に、等化部２０１と位相同期部１０５の順番を入れ替えて受信装置を構成することもできる。
【０１５１】
さらに、図６の例の受信装置１００から、硬判定を行う部として、等化部１０４を除いて、位相同期部１０５のみで受信装置を構成することも、位相同期部１０５を除いて、等化部１０４のみで受信装置を構成することも可能である。また、図６の例において、等化部１０４の代わりに、等化部２０１で構成する場合も同様に、位相同期部１０５を除いて、等化部２０１のみで受信装置を構成することも可能である。
【０１５２】
＜２．第２の実施の形態＞
＜本技術の受信装置の他の構成例＞
図２０は、本技術を適用した受信装置の他の構成例を示すブロック図である。
【０１５３】
図２０の例において、受信装置２００は、位相同期部１０５の後段に、DFEで構成される等化部２０１が追加された点が、図６の受信装置１００と異なっている。
【０１５４】
図２０の例において、受信装置２００は、アンテナ１０１、チューナ１０２、ADC(Analog to Digital Convertor)１０３、等化部１０４、位相同期部１０５、振幅／位相ずれ平均部１０６、および誤り訂正部１０７を備える点が、図６の受信装置１００と共通している。
【０１５５】
すなわち、位相同期部１０５は、等化部１０４からのデータに対して、位相補正を行い、位相補正後のデータを、等化部２０１に出力する。
【０１５６】
等化部２０１は、例えば、フィードフォワードフィルタとフィードバックフィルタの両方を含むDFE(Decision Feedback Equalizer)で構成される。等化部２０１は、位相同期部１０５からのデータに対して、等化処理を行い、等化処理が行われたデータを、振幅／位相ずれ平均部１０６および誤り訂正部１０７に出力する。なお、等化部２０１は、この等化処理の際に、振幅／位相ずれ平均部１０６からのリング毎の平均振幅および平均位相ずれを入力し、振幅および位相の閾値処理を補正し、補正された振幅および位相の閾値処理を用いて硬判定を行う。
【０１５７】
振幅／位相ずれ平均部１０６は、リング毎の平均振幅および平均位相ずれを、等化部１０４、位相同期部１０５、および等化部２０１に出力する。
【０１５８】
＜等化部の構成例＞
図２１は、等化部の構成例を示すブロック図である。
【０１５９】
図２１の例において、等化部２０１は、フィードフォワードフィルタ１１１、硬判定部１１２、およびエラー計算部１１３を備えている点は、図７の等化部１０４と共通している。
【０１６０】
図２１の例において、等化部２０１は、積算器２１１、およびフィードバックフィルタ２１２が追加された点が、図７の等化部１０４と異なっている。
【０１６１】
フィードフォワードフィルタ１１１は、入力されるデータに対して、フィルタをかけて、積算器２１１に出力する。積算器２１１は、フィードフォワードフィルタ１１１からの出力と、フィードバックフィルタ２１２からの出力を足し合わせて、等化部２０１の出力として、誤り訂正部１０７に出力するとともに、硬判定部１１２に出力する。
【０１６２】
硬判定部１１２は、受信信号を基に非線形歪を補正した硬判定を行う。その際に、硬判定部１１２は、振幅／位相ずれ平均部１０６からのリング毎の平均振幅(1)乃至(n)、および平均位相ずれ(1)乃至(n)を入力し、振幅および位相に対する閾値処理を補正し、積算器２１１の足し合わせ結果について、補正された振幅および位相の閾値処理を用いた硬判定を行う。硬判定部１１２は、硬判定結果S’kを、エラー計算部１１３およびフィードバックフィルタ２１２に出力する。
【０１６３】
エラー計算部１１３は、硬判定部１１２への入力Skと、硬判定部１１２の出力である硬判定結果S’kから、例えば、ek＝S’k- Skのように、等化誤差ekを求め、それを、フィードフォワードフィルタ１１１およびフィードバックフィルタ２１２に供給する。
【０１６４】
フィードバックフィルタ２１２は、可変係数フィルタである。フィードバックフィルタ２１２は、硬判定部１１２からの硬判定結果S’kに対して、フィルタをかけて、積算器２１１に出力する。すなわち、フィードバックフィルタ２１２は、硬判定部１１２からの硬判定結果S’kに対して、フィルタ係数との畳み込み演算を行い、畳み込み演算の結果得られる信号を、積算器２１１に出力する。
【０１６５】
また、フィードバックフィルタ２１２は、フィードフォワードフィルタ１１１と同様に、エラー計算部１１３からの等化誤差を用いてフィルタ係数を更新する。係数更新アルゴリズムとしては、例えば、LMS(Least Mean Squuare)アルゴリズムが用いられる。もちろん、他のアルゴリズムであってもよい。
【０１６６】
なお、図２１の等化部２０１においては、図７の等化部１０４の場合と同様に、硬判定結果は、等化誤差の計算に用いられるが、それに加えて、フィードバックフィルタ２１２の入力としても使用される。
【０１６７】
＜受信装置の処理例＞
次に、図２２のフローチャートを参照して、図２０の受信装置２００の受信処理について説明する。なお、図２２のステップＳ２０１乃至Ｓ２０４、およびＳ２０６乃至Ｓ２０８は、図１５のステップＳ１０１乃至Ｓ１０４、およびＳ１０５乃至Ｓ１０７と基本的に同様の処理であるので、その説明は適宜省略する。
【０１６８】
すなわち、ステップＳ２０４において、位相同期部１０５は、等化部１０４からのデータに対して、位相補正を行い、位相補正後のデータを、等化部２０１に出力する。この位相同期処理の詳細については、図１７を参照して上述した処理と基本的に同様の処理であるので、その説明は省略する。
【０１６９】
ステップＳ２０５において、等化部２０１は、位相同期部１０５からのデータに対して、等化処理を行い、等化処理が行われたデータを、振幅／位相ずれ平均部１０６および誤り訂正部１０７に出力する。なお、等化部２０１は、この等化処理の際に、振幅／位相ずれ平均部１０６からのリング毎の平均振幅および平均位相ずれを入力し、振幅および位相に対する閾値処理を補正し、補正された振幅および位相の閾値処理を用いた硬判定を行う。この等化処理の詳細については、図２３を参照して後述する。
【０１７０】
ステップＳ２０６において、振幅／位相ずれ平均部１０６は、受信信号の振幅および位相ずれを、リング毎に平均化する。振幅／位相ずれ平均部１０６は、リング毎の平均振幅および平均位相ずれを、等化部１０４、位相同期部１０５、および等化部２０１に出力する。
【０１７１】
次に、図２３のフローチャートを参照して、図２２のステップＳ２０５の等化処理について説明する。
【０１７２】
フィードフォワードフィルタ１１１は、ステップＳ２２１において、入力されるデータに対して、フィードフォワードフィルタをかけて、積算器２１１に出力する。
【０１７３】
積算器２１１は、ステップＳ２２２において、フィードフォワードフィルタ１１１からの出力と、フィードバックフィルタ２１２からの出力を足し合わせて、等化部２０１の出力として、位相同期部１０５に出力するとともに、硬判定部１１２に出力する。
【０１７４】
硬判定部１１２は、ステップＳ２２３において、受信信号を基に非線形歪を補正した硬判定を行う。その際、硬判定部１１２は、振幅／位相ずれ平均部１０６からのリング毎の平均振幅(1)乃至(n)、および平均位相ずれ(1)乃至(n)を入力して、振幅および位相に対する閾値処理を補正し、積算器２１１の足し合わせ結果について、補正された振幅および位相の閾値処理を用いた硬判定を行う。硬判定部１１２は、硬判定結果S’kを、エラー計算部１１３およびフィードバックフィルタ２１２に出力する。この硬判定処理については、図１８を参照して上述したので、繰り返しになるため、その詳細な説明は省略する。
【０１７５】
フィードバックフィルタ２１２は、ステップＳ２２４において、硬判定部１１２からの硬判定結果S’kに対してフィルタをかけて、積算器２１１に出力する。
【０１７６】
エラー計算部１１３は、ステップＳ２２５において、硬判定部１１２への入力Skと、硬判定部１１２の出力である硬判定結果S’kから、例えば、ek＝S’k- Skのように、等化誤差ekを求め、それを、フィードフォワードフィルタ１１１およびフィードバックフィルタ２１２に供給する。
【０１７７】
ステップＳ２２６において、フィードフォワードフィルタ１１１およびフィードバックフィルタ２１２は、ステップＳ２２５で求められた等化誤差ekを用いて、フィルタの係数更新を行う。以上のようにして等化処理が行われる。
【０１７８】
なお、図２０の受信装置２００においては、等化部１０４、位相同期部１０５、等化部２０１が個別に備えられていたが、次に、位相同期部１０５とDFEの等化部２０１とが、等化・位相同期部としてひとまとめで構成される受信装置について説明する。
【０１７９】
＜３．第３の実施の形態＞
＜本技術の受信装置の他の構成例＞
図２４は、本技術を適用した受信装置のさらに他の構成例を示すブロック図である。
【０１８０】
図２４の例において、受信装置４００は、等化部１０４が除かれた点と、等化部２０１と位相同期部１０５が、等化・位相同期部４０２としてひとまとめになった点とが、図２０の受信装置２００と異なっている。
【０１８１】
図２４の例において、受信装置４００は、アンテナ１０１、チューナ１０２、ADC(Analog to Digital Convertor)１０３、振幅／位相ずれ平均部１０６、および誤り訂正部１０７を備える点が、図２０の受信装置２００と共通している。
【０１８２】
すなわち、等化・位相同期部４０２は、図２０の位相同期部１０５の機能と等化部２０１の機能を有している。
【０１８３】
等化・位相同期部４０２は、図８に示された位相同期部１０５と同様に、位相回転器１２１、硬判定部１１２、位相誤差検出部１２３、ループフィルタ１２４、および発振器１２５を有している。さらに、等化・位相同期部４０２は、図２１に示された等化部２０１と同様に、フィードフォワードフィルタ１１１、積算器２１１、硬判定部１１２、フィードバックフィルタ２１２、およびエラー計算部１１３を有している。
【０１８４】
なお、等化・位相同期部４０２は、変換器４１１および位相回転器４１２が追加されている点が、図８の位相同期部１０５および図２１の等化部２０１と異なっている。
【０１８５】
フィードフォワードフィルタ１１１は、入力されるデータに対して、フィードフォワードフィルタをかけて、位相回転器１２１に出力する。
【０１８６】
位相回転器１２１は、発振器１２５からのek-jθだけ位相回転をかけて位相補正を行い、位相補正後のデータSkを、積算器２１１に出力する。積算器２１１は、位相回転器１２１を介してのフィードフォワードフィルタ１１１からの出力と、フィードバックフィルタ２１２からの出力を足し合わせて、等化・位相同期部４０２の出力とするとともに、硬判定部１１２、エラー計算部１１３、および位相誤差検出部１２３に出力する。
【０１８７】
硬判定部１１２は、受信信号を基に非線形歪を補正した硬判定を行う。その際、硬判定部１１２は、振幅／位相ずれ平均部１０６からのリング毎の平均振幅(1)乃至(n)、および平均位相ずれ(1)乃至(n)を入力し、振幅および位相に対する閾値処理を補正し、積算器２１１の足し合わせ結果について、補正された振幅および位相の閾値処理を用いた硬判定を行う。硬判定部１１２は、硬判定結果S’kを、位相誤差検出部１２３、エラー計算部１１３、およびフィードバックフィルタ２１２に出力する。
【０１８８】
位相誤差検出部１２３は、積算器２１１からの位相補正後のデータSkと、硬判定結果S’kとから、例えば、arg(S’k)-arg(Sk)のように位相誤差を求める。位相誤差検出部１２３は、求めた位相誤差を、ループフィルタ１２４に出力する。
【０１８９】
ループフィルタ１２４は、位相誤差にループフィルタをかけて、フィルタ後のデータを、発振器１２５に出力する。発振器１２５は、フィルタ後のデータに基づいて発振し、ek-jθを位相回転器１２１と変換器４１１に出力する。また、変換器４１１は、ek-jθをekjθに変換して、位相回転器４１２に出力する。
【０１９０】
エラー計算部１１３は、硬判定部１１２への入力Skと、硬判定部１１２の出力である硬判定結果S’kから、例えば、ek＝S’k- Skのように、等化誤差ekを求め、それを、位相回転器４１２を介して、フィードフォワードフィルタ１１１に供給し、直接フィードバックフィルタ２１２に供給する。
【０１９１】
フィードバックフィルタ２１２は、硬判定部１１２からの硬判定結果S’kに対して、フィードバックフィルタをかけて、積算器２１１に出力する。
【０１９２】
位相回転器４１２は、エラー計算部１１３からの等化誤差ekを、位相回転器１２１によりかけられた位相回転をekjθだけ戻し、フィードフォワードフィルタ１１１に供給する。位相回転が戻されたekjθは、フィードフォワードフィルタ１１１のフィルタ係数更新に用いられる。
【０１９３】
＜受信装置の処理例＞
次に、図２５のフローチャートを参照して、受信装置４００の受信処理について説明する。
【０１９４】
ステップＳ４０１において、アンテナ１０１は、電波（放送信号）を受信し、チューナ１０２を介して、受信した放送信号をADC１０３に出力する。
【０１９５】
ステップＳ４０２において、ADC１０３は、チューナ１０２からのアナログの放送信号を、デジタルデータに変換し、変換されたデジタルデータを、タイミング同期部４０１を介して、等化・位相同期部４０２に出力する。
【０１９６】
ステップＳ４０３において、等化・位相同期部４０２は、タイミング同期部４０１からのデータに対して、等化処理と位相同期処理を行い、等化処理および位相同期処理が行われたデータを、振幅／位相ずれ平均部１０６および誤り訂正部１０７に出力する。なお、この等化、位相同期処理の際に、振幅／位相ずれ平均部１０６からのリング毎の平均振幅および平均位相ずれが入力され、振幅および位相に対する閾値処理に対して補正がなされ、補正がなされた振幅および位相の閾値処理を用いた硬判定が行われる。この等化、位相同期処理は、実質的に、図１７を参照して上述した位相同期処理と、図２３を参照して上述した等化処理の両方の処理を合わせた処理と同様であるので、その説明は繰り返しになるので省略する。
【０１９７】
ステップＳ４０４において、振幅／位相ずれ平均部１０６は、受信信号の振幅および位相ずれを、リング毎に平均化する。振幅／位相ずれ平均部１０６は、リング毎の平均振幅および平均位相ずれを、等化・位相同期部４０２に出力する。
【０１９８】
誤り訂正部１０７は、ステップＳ４０５において、放送規格で定められた所定の誤り訂正を行い、ステップＳ４０６において、誤り訂正後のデータを、復号結果として、後段の図示せぬMPEGデコーダに出力する。
【０１９９】
ステップＳ４０６の後、処理は、ステップＳ４０１に戻り、それ以降の処理が繰り返される。
【０２００】
以上のように、本技術によれば、硬判定処理において、乗算器の利用を極力少なくすることができる。すなわち、本技術によれば、乗算器がはるかに少ないため、受信装置全体としての回路規模を減らすことができる。これにより、硬判定の非線形歪補償を、低コストで実現することが可能となる。
【０２０１】
なお、上記説明においては、振幅／位相ずれ平均部１０６における平均化処理において、受信信号に含まれる既知信号（パイロット信号）を用いる例を説明してきた。しかしながら、例えば、主に欧州向けの衛星規格であるDVB-S2のように、補正用の既知信号を含まない放送規格、すなわち、データ区間と同じ変調方式の既知信号を含まないような放送規格の場合、次に説明するように、誤り訂正復号結果を送信時と同じ変調方式で再度変調した信号（再変調信号）を用いることができる。
【０２０２】
＜４．第４の実施の形態＞
＜本技術の受信装置の他の構成例＞
図２６は、本技術を適用した受信装置の構成例を示すブロック図である。
【０２０３】
図２６の例において、受信装置５００は、アンテナ１０１、チューナ１０２、ADC(Analog to Digital Convertor)１０３、位相同期部１０５、および誤り訂正部１０７を備える点は、図６の受信装置１００と共通している。
【０２０４】
図２６の例において、受信装置５００は、等化部１０４が、図２０の等化部２０１に入れ替わった点と、振幅／位相ずれ平均部１０６が、振幅／位相ずれ平均部５３４（図２７）を含む振幅／位相ずれ生成部５１１に入れ替わった点と、変調方式解釈部５１２が追加された点とが、図６の受信装置１００と異なっている。
【０２０５】
すなわち、等化部２０１は、ADC１０３からのデータに対して、等化処理を行い、等化処理が行われたデータを、位相同期部１０５に出力する。なお、等化部２０１は、この等化処理の際に、振幅／位相ずれ生成部５１１からの歪情報である、リング毎の平均振幅および平均位相ずれを入力し、振幅および位相の閾値処理を補正し、補正された振幅および位相の閾値処理を用いた硬判定を行う。
【０２０６】
位相同期部１０５は、等化部２０１からのデータに対して、位相補正を行い、位相補正後のデータを、変調方式解釈部５１２、振幅／位相ずれ生成部５１１、および誤り訂正部１０７に出力する。なお、位相同期部１０５は、この位相補正の際に、振幅／位相ずれ生成部５１１からのリング毎の平均振幅および平均位相ずれを入力し、振幅および位相の閾値処理を補正し、補正された振幅および位相の閾値処理を用いた硬判定を行う。
【０２０７】
振幅／位相ずれ生成部５１１は、送信時と同じ変調方式で再変調を行って変調信号を生成し、再変調前の信号と再変調後の信号とを比較し、再変調前の信号の振幅と位相ずれをリング毎に平均化し、リング毎の平均振幅および平均位相ずれを生成する。この処理には、位相同期部１０５からの受信信号、変調方式解釈部５１２からの受信信号内のデータ区間の変調方式を示す変調方式情報、および誤り訂正部１０７からの復号結果が用いられる。振幅／位相ずれ平均部１０６は、リング毎の平均振幅および平均位相ずれを、等化部２０１および位相同期部１０５に出力する。
【０２０８】
変調方式解釈部５１２は、位相同期部１０５から供給されるI信号とQ信号から、受信信号内のデータ区間の変調方式などを示す変調方式情報を復号する。変調方式解釈部５１２は、復号結果を、振幅／位相ずれ生成部５１１に供給する。例えば、放送規格がDVB-S2である場合、PLSコードと呼ばれる部分の中に変調方式情報が格納されている。
【０２０９】
誤り訂正部１０７は、放送規格で定められた所定の誤り訂正処理を行う。例えば、放送規格がDVB-S2である場合、LDPC符号復号処理などが用いられる。誤り訂正部１０７は、誤り訂正後のデータを、振幅／位相ずれ生成部５１１に出力し、復号結果として、後段の図示せぬMPEGデコーダに転送する。
【０２１０】
＜振幅／位相ずれ生成部の構成例＞
図２７は、図２６の振幅／位相ずれ生成部の構成例を示すブロック図である。
【０２１１】
図２７の振幅／位相ずれ生成部５１１は、RAM（Random Access Memory）５３１および５３２、変調部５３３、および振幅／位相ずれ平均部５３４により構成される。
【０２１２】
RAM５３１は、図２６の位相同期部１０５から供給される、FEC処理前のI信号およびQ信号を保持する。RAM５３２は、誤り訂正部１０７から供給されるデータを保持する。
【０２１３】
変調部５３３は、インターリーブ部５４１とマッピング部５４２により構成される。変調部５３３は、図２６の変調方式解釈部５１２から供給される変調方式情報に含まれるデータ区間の変調方式を基に、RAM５３２に保持されているデータに対して、規格で定められた変調を再度行い、変調信号を生成する。
【０２１４】
具体的には、インターリーブ部５４１は、RAM５３１から読み出されるI信号およびQ信号に対応するデータを、RAM５３２から読み出す。インターリーブ部５４１は、読み出されたデータに対してビットインターリーブを施し、その結果得られるデータをマッピング部５４２に供給する。
【０２１５】
マッピング部５４２は、変調方式解釈部５１２からの変調方式情報に含まれる変調方式で、インターリーブ部５４１から供給されるデータをマッピングし、そのデータに対応する送信信号の信号点の信号を生成する。マッピング部５４２は、生成された信号を変調信号として振幅／位相ずれ平均部５３４に供給する。
【０２１６】
振幅／位相ずれ平均部５３４は、RAM５３１からI信号とQ信号を読み出す。振幅／位相ずれ平均部５３４は、変調部５３３から供給される変調信号と、その変調信号に対応する誤り訂正前の信号の振幅と位相ずれをリング毎に平均化して、リング毎の平均振幅および平均位相ずれを生成する。
【０２１７】
振幅／位相ずれ平均部５３４は、現在の変調方式情報に含まれる変調方式のリング毎の平均振幅および平均位相ずれを、図２６の等化部２０１および位相同期部１０５に供給する。
【０２１８】
＜振幅／位相ずれ平均部の構成例＞
図２８は、振幅／位相ずれ平均部の構成例を示すブロック図である。
【０２１９】
図２８の例においては、振幅／位相ずれ平均部５３４は、振幅計算部１３１、位相ずれ計算部１３４、振幅平均部１３６、および位相ずれ平均部１３７を備える点は、図９の振幅／位相ずれ平均部１０６と共通している。
【０２２０】
図２８の例においては、振幅／位相ずれ平均部５３４は、シンボルカウンタ１３２および既知信号生成部１３３が除かれた点と、イネーブル生成部１３５がイネーブル生成部５５１に入れ替わった点とが図９の振幅／位相ずれ平均部１０６と異なっている。
【０２２１】
さらに、図２８の例においては、振幅／位相ずれ平均部５３４は、変調部５３３（図２７）から再変調後の信号が位相ずれ計算部１３４とイネーブル生成部５５１に入力される点が、図９の振幅／位相ずれ平均部１０６と異なっている。
【０２２２】
RAM５３１からの受信信号I,Qは、振幅計算部１３１、および位相ずれ計算部１３４に入力される。変調部５３３から再変調後の信号が位相ずれ計算部１３４とイネーブル生成部５５１に入力される。
【０２２３】
振幅計算部１３１は、受信信号I,Qの振幅計算を行い、振幅計算結果を、振幅平均部１３６に出力する。
【０２２４】
位相ずれ計算部１３４は、位相同期部１０５からの受信信号I,Qと、変調部５３３からの再変調の信号を比較して、位相ずれを計算し、計算した位相ずれを、位相ずれ平均部１３７に出力する。
【０２２５】
イネーブル生成部５５１は、再変調後の信号から、現在のシンボル（信号）がどのリングに存在するのかを判定して、そのリングのときのみアサートされるイネーブル信号を生成する。イネーブル生成部５５１は、生成したイネーブル信号を、振幅平均部１３６の対応する平均処理リングと位相ずれ平均部１３７の対応する平均処理リングに出力する。
【０２２６】
振幅／位相ずれ平均部５３４において、リング毎に正しく平均化するためには、正しいリング位置のイネーブル信号をアサートする必要がある。そのため、誤り訂正前の信号よりも、より確からしい再変調後の信号を用いてイネーブル信号が生成される。
【０２２７】
＜受信装置の処理例＞
次に、図２９のフローチャートを参照して、受信装置５００の受信処理について説明する。なお、図２９のステップＳ５０１乃至Ｓ５０４は、図１５のステップＳ１０１乃至Ｓ１０４と基本的に同様の処理を行うので、その説明は繰り返しになるため適宜省略する。
【０２２８】
すなわち、ステップＳ５０４において、位相同期部１０５は、等化部１０４からのデータに対して、位相補正を行い、位相補正後のデータを、振幅／位相ずれ生成部５１１および誤り訂正部１０７に出力する。
【０２２９】
誤り訂正部１０７は、ステップＳ５０５において、放送規格で定められた所定の誤り訂正を行い、ステップＳ５０６において、誤り訂正後のデータを、復号結果として、後段の図示せぬMPEGデコーダに出力するとともに、振幅／位相ずれ生成部５１１にも出力する。
【０２３０】
振幅／位相ずれ生成部５１１は、ステップＳ５０７において、送信時と同じ変調方式で再変調を行って変調信号を生成し、その変調信号に対応する誤り訂正前の信号の振幅と位相ずれをリング毎に平均化し、各信号点の受信信号として、各変調信号に対して発生した非線形歪を表す歪情報であるリング毎の振幅と位相ずれを生成する。この振幅／位相ずれ生成処理は、図３０を参照して後述される。
【０２３１】
なお、この処理には、位相同期部１０５からの受信信号、変調方式解釈部５１２からの変調方式情報、および誤り訂正部１０７からの復号結果が用いられる。振幅／位相ずれ生成部５１１は、リング毎の平均振幅および平均位相ずれを、等化部２０１および位相同期部１０５に出力する。
【０２３２】
ステップＳ５０７の後、処理は、ステップＳ５０１に戻り、それ以降の処理が繰り返される。
【０２３３】
次に、図３０のフローチャートを参照して、図２９のステップＳ５０７の振幅／位相ずれ生成処理について説明する。
【０２３４】
ステップＳ５１１において、振幅／位相ずれ生成部５１１のRAM５３１（図２７）は、等化部２０１から供給される誤り符号訂正前のI信号およびQ信号を保持する。ステップＳ５１２において、RAM５３２は、誤り訂正部１０７から供給される誤り符号訂正後のデータを保持する。
【０２３５】
ステップＳ５１３において、変調部５３３は、RAM５３１に保持されているデータを、変調方式解釈部５１２から供給される変調方式情報に含まれる変調方式で再度変調し、変調信号を生成する。変調部５３３は、生成された信号を変調信号として振幅／位相ずれ平均部５３４に供給する。
【０２３６】
ステップＳ５１４において、振幅／位相ずれ平均部５３４は、変調部５３３からの変調信号に対応する誤り訂正前の信号の振幅／位相ずれ平均処理を行う。この振幅／位相ずれ平均処理は、図３１を参照して後述される。
【０２３７】
ステップＳ５１５において、振幅／位相ずれ平均部５３４は、生成された現在の変調方式情報に含まれる変調方式のリング毎の平均振幅および平均位相ずれを、等化部２０１および位相同期部１０５に供給する。
【０２３８】
これにより、等化部２０１（図２１）と位相同期部１０５（図８）の硬判定に用いられるリング毎の平均振幅および平均位相ずれが更新される。そして、処理は、図２９のステップＳ５０７に戻る。
【０２３９】
次に、図３１のフローチャートを参照して、図３０のステップＳ５１４の振幅／位相ずれ平均処理について説明する。
【０２４０】
位相同期部１０５からの誤り訂正前の信号I,Qは、振幅計算部１３１、および位相ずれ計算部１３４に入力される。
【０２４１】
ステップＳ５３１において、振幅計算部１３１は、誤り訂正前の信号I,Qの振幅計算を行い、振幅計算結果を、振幅平均部１３６に出力する。
【０２４２】
変調部５３３から再変調後の信号は、位相ずれ計算部１３４とイネーブル生成部５５１に入力される。
【０２４３】
ステップＳ５３２において、位相ずれ計算部１３４は、位相同期部１０５からの誤り訂正前の信号I,Qと、変調部５３３から再変調後の信号とを比較して、位相ずれを計算し、計算した位相ずれを、位相ずれ平均部１３７に出力する。
【０２４４】
ステップＳ５３３において、イネーブル生成部５５１は、再変調後の信号から、現在のシンボル（信号）がどのリングに存在するのかを判定して、そのリングのときのみアサートされるイネーブル信号を生成する。イネーブル生成部５５１は、生成したイネーブル信号を、振幅平均部１３６の対応する平均処理リングと位相ずれ平均部１３７の対応する平均処理リングに出力する。
【０２４５】
以降のステップＳ５３４およびＳ５３５の処理は、図１９のステップＳ１８５およびＳ１８６と基本的に同様の処理を行うので、その説明は省略する。
【０２４６】
以上のように、受信装置５００は、受信信号の誤り訂正後のデータを再変調して変調信号を生成し、変調信号に対応する誤り訂正前の振幅と位相ずれを、リング毎に平均化することができる。これにより、硬判定の非線形歪補償を、データ区間と同一の変調方式の既知信号を含まない受信信号を用いる場合にも、乗算器がはるかに少ない回路規模で実現することができる。これにより、硬判定の非線形歪補償を、低コストで実現することが可能となる。
【０２４７】
なお、誤り訂正部１０７は、誤り訂正の成功を判定するようにしてもよい。この場合、受信装置５００（振幅／位相ずれ生成部５１１）は、受信信号の誤り訂正後のデータを再変調して変調信号を生成し、変調信号に対応する誤り訂正前の信号のうち、誤り訂正処理に成功したデータに対応する振幅と位相ずれを、リング毎に平均化することができる。これにより、リング毎の平均振幅および平均位相ずれをより正確に生成することができる。
【０２４８】
また、等化部２０１は、フィードフォワードフィルタとフィードバックフィルタの両方を用いるDFEであるが、フィードフォワードフィルタのみを用いる等化部１０４のような線形等化器であってもよい。この場合、等化部１０４は、リング毎の平均振幅および平均位相ずれに基づいて硬判定の補正を行う。
【０２４９】
なお、第４の実施の形態においては、補正用の既知信号を含まない放送規格として、例えば、DVB-S2などを例に説明してきたが、本技術は、他の補正用の既知信号を含まない放送規格にも適用される。もちろん、例えば、ARIB STD-B44のように、補正用の既知信号を含む場合であっても本技術は適用できる。
【０２５０】
また、上記説明においては、APSK (Amplitude Phase Shift Keying)用の硬判定について説明したが、本技術は、ASK(Amplitude Shift Keying)用硬判定にも適用することができる。
【０２５１】
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な汎用のパーソナルコンピュータなどが含まれる。
【０２５２】
＜５．第５の実施の形態＞
＜コンピュータの構成例＞
図３２は、上述した一連の処理をプログラムにより実行するコンピュータのハードウエアの構成例を示すブロック図である。
【０２５３】
コンピュータ６００において、CPU(Central Processing Unit)６０１、ROM(Read Only Memory)６０２、RAM(Random Access Memory)６０３は、バス６０４により相互に接続されている。
【０２５４】
バス６０４には、さらに、入出力インタフェース６０５が接続されている。入出力インタフェース６０５には、入力部６０６、出力部６０７、記憶部６０８、通信部６０９、およびドライブ６１０が接続されている。
【０２５５】
入力部６０６は、キーボード、マウス、マイクロホンなどよりなる。出力部６０７は、ディスプレイ、スピーカなどよりなる。記憶部６０８は、ハードディスクや不揮発性のメモリなどよりなる。通信部６０９は、ネットワークインタフェースなどよりなる。ドライブ６１０は、磁気ディスク、光ディスク、光磁気ディスク、又は半導体メモリなどのリムーバブル記録媒体６１１を駆動する。
【０２５６】
以上のように構成されるコンピュータでは、CPU６０１が、例えば、記憶部６０８に記憶されているプログラムを入出力インタフェース６０５及びバス６０４を介してRAM６０３にロードして実行することにより、上述した一連の処理が行われる。
【０２５７】
コンピュータ（CPU６０１）が実行するプログラムは、例えば、パッケージメディア等としてのリムーバブル記録媒体６１１に記録して提供することができる。また、プログラムは、ローカルエリアネットワーク、インターネット、デジタル放送といった、有線または無線の伝送媒体を介して提供することができる。
【０２５８】
コンピュータでは、プログラムは、リムーバブル記録媒体６１１をドライブ６１０に装着することにより、入出力インタフェース６０５を介して、記憶部６０８にインストールすることができる。また、プログラムは、有線または無線の伝送媒体を介して、通信部６０９で受信し、記憶部６０８にインストールすることができる。その他、プログラムは、ROM６０２や記憶部６０８に、あらかじめインストールしておくことができる。
【０２５９】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２６０】
なお、本明細書において、システムの用語は、複数の装置、ブロック、手段などにより構成される全体的な装置を意味するものである。
【０２６１】
また、本開示における実施の形態は、上述した実施の形態に限定されるものではなく、本開示の要旨を逸脱しない範囲において種々の変更が可能である。
【０２６２】
さらに、本開示は、１つの機能をネットワークを介して複数の装置で分担、共同して処理するクラウドコンピューティングの構成をとることができる。
【０２６３】
また、上述のフローチャートで説明した各ステップは、１つの装置で実行する他、複数の装置で分担して実行することができる。
【０２６４】
さらに、１つのステップに複数の処理が含まれる場合には、その１つのステップに含まれる複数の処理は、１つの装置で実行する他、複数の装置で分担して実行することができる。
【０２６５】
また、以上において、１つの装置（または処理部）として説明した構成を分割し、複数の装置（または処理部）として構成するようにしてもよい。逆に、以上において複数の装置（または処理部）として説明した構成をまとめて１つの装置（または処理部）として構成されるようにしてもよい。また、各装置（または各処理部）の構成に上述した以外の構成を付加するようにしてももちろんよい。さらに、システム全体としての構成や動作が実質的に同じであれば、ある装置（または処理部）の構成の一部を他の装置（または他の処理部）の構成に含めるようにしてもよい。つまり、本技術は、上述した実施の形態に限定されるものではなく、本技術の要旨を逸脱しない範囲において種々の変更が可能である。
【０２６６】
以上、添付図面を参照しながら本開示の好適な実施形態について詳細に説明したが、開示はかかる例に限定されない。本開示の属する技術の分野における通常の知識を有するのであれば、請求の範囲に記載された技術的思想の範疇内において、各種の変更例また修正例に想到し得ることは明らかであり、これらについても、当然に本開示の技術的範囲に属するものと了解される。
【０２６７】
なお、本技術は以下のような構成も取ることができる。
（１）  受信信号の振幅に対する閾値処理および前記受信信号の位相に対する閾値処理を用いて、硬判定処理を行う硬判定部
を備え、
前記振幅に対する閾値処理および前記位相に対する閾値処理の少なくとも１つの閾値処理は、前記受信信号から生成される信号に基づいて補正される
受信装置。
（２）  前記受信信号から生成される信号は、既知信号区間の受信信号である
前記（１）に記載の受信装置。
（３）  前記受信信号から生成される信号は、パイロット信号である
前記（２）に記載の受信装置。
（４）  前記受信信号から生成される信号は、誤り訂正復号結果を送信時と同じ変調方式で再度変調した信号である再変調信号である
前記（１）に記載の受信装置。
（５）  前記受信信号から生成される信号を用いて、送信側でIQ平面上にマッピングしたシンボルのうち、原点からの距離が等しいシンボルの集合であるリング毎に、前記受信信号の振幅および位相ずれを平均化する平均化処理部を
さらに備え、
前記振幅に対する閾値処理および前記位相に対する閾値処理の少なくとも１つの閾値処理は、前記平均化処理部により平均化された前記受信信号の振幅および位相ずれに基づいて補正される
前記（１）に記載の受信装置。
（６）  前記平均化処理部は、前記受信信号から生成される信号として、誤り訂正復号結果を送信時と同じ変調方式で再度変調した信号である再変調信号を用いて、前記リング毎に、前記再変調信号に対応する誤り訂正前の信号のうち、誤り訂正処理に成功した信号の振幅および位相ずれを平均化する
前記（５）に記載の受信装置。
（７）  前記受信信号に対して等化処理を行う等化部を
さらに備え、
前記等化部は、前記硬判定部を含むように構成されている
前記（１）乃至（６）のいずれかに記載の受信装置。
（８）  前記等化部は、DFE(Decision Feedback Equalizer)で構成される
前記（７）に記載の受信装置。
（９）  前記等化部は、FFE（feed-forward equalizer）で構成される
前記（７）に記載の受信装置。
（１０）  前記受信信号に対して位相補正を行う位相同期部を
さらに備え、
前記位相同期部は、前記硬判定部を含むように構成されている
前記（１）乃至（９）のいずれかに記載の受信装置。
（１１）  前記硬判定は、APSK (Amplitude Phase Shift Keying )用の硬判定である
前記（１）乃至（１０）のいずれかに記載の受信装置。
（１２）  前記硬判定は、ASK(Amplitude Shift Keying)用の硬判定である
前記（１）乃至（１１）のいずれかに記載の受信装置。
（１３）  受信装置が、
受信信号の振幅に対する閾値処理および前記受信信号の位相に対する閾値処理を用いて、硬判定処理を行い、
前記振幅に対する閾値処理および前記位相に対する閾値処理の少なくとも１つの閾値処理は、前記受信信号から生成される信号に基づいて補正される
受信方法。
（１４）  受信信号の振幅に対する閾値処理および前記受信信号の位相に対する閾値処理を用いて、硬判定処理を行う硬判定部
として、コンピュータを機能させ、
前記振幅に対する閾値処理および前記位相に対する閾値処理の少なくとも１つの閾値処理は、前記受信信号から生成される信号に基づいて補正される
プログラム。
【符号の説明】
【０２６８】
８１  補正信号生成部，  ８２  硬判定部，  ９１  振幅に対する閾値処理部，  ９２位相に対する閾値処理部，  ９３  硬判定結果出力部，  １００  受信装置，  １０１  アンテナ，  １０２  チューナ，  １０３  ADC，  １０４  等化部，  １０５  位相同期部，  １０６  振幅／位相ずれ平均部，  １０７  誤り訂正部，  １１１  フィードフォワードフィルタ，  １１２  硬判定部，  １１３  エラー計算部，  １２１  位相回転器，  １２３  位相誤差検出部，  １２４  ループフィルタ，  １２５  発振器，  １３１  振幅計算部，  １３２  シンボルカウンタ，  １３３  既知信号生成部，  １３４  位相ずれ計算部，  １３５  イネーブル生成部，  １３６  振幅平均部，  １３７  位相ずれ平均部，  １４１−１乃至１４１−ｎ  平均処理部，  １５１−１乃至１５１−ｎ  平均処理部，  １６１  位相計算部，  １６２  振幅硬判定部，  １６３  位相硬判定部，  １６４  回転部，  １７１  振幅計算部，  １７２  振幅閾値計算部，  １７３    振幅閾値比較部，  １７４  セレクタ，  １８１  演算部，  １８２  乗算部，  １９１−１乃至１９１−ｎ  減算器，  １９２−１乃至１９２−ｎ，位相閾値比較部，  １９３−１乃至１９３−ｎ  加算器，  １９４  セレクタ，  ２００  受信装置，  ２１２  フィードバックフィルタ，  ４００  受信装置，  ４０２  等化・位相同期部，  ４１１  変換器，  ４１２  位相回転器，  ５００  受信装置，  ５１１  振幅／位相ずれ生成部，  ５１２  変調方式解釈部，  ５３１，５３２  RAM，  ５３３  変調部，  ５３４  振幅／位相ずれ平均部，  ５５１  イネーブル生成部，  ６００  コンピュータ
【図１】
0006614155.tif 000005
【図２】
0006614155.tif 000006
【図３】
0006614155.tif 000007
【図４】
0006614155.tif 000008
【図５】
0006614155.tif 000009
【図６】
0006614155.tif 000010
【図７】
0006614155.tif 000011
【図８】
0006614155.tif 000012
【図９】
0006614155.tif 000013
【図１０】
0006614155.tif 000014
【図１１】
0006614155.tif 000015
【図１２】
0006614155.tif 000016
【図１３】
0006614155.tif 000017
【図１４】
0006614155.tif 000018
【図１５】
0006614155.tif 000019
【図１６】
0006614155.tif 000020
【図１７】
0006614155.tif 000021
【図１８】
0006614155.tif 000022
【図１９】
0006614155.tif 000023
【図２０】
0006614155.tif 000024
【図２１】
0006614155.tif 000025
【図２２】
0006614155.tif 000026
【図２３】
0006614155.tif 000027
【図２４】
0006614155.tif 000028
【図２５】
0006614155.tif 000029
【図２６】
0006614155.tif 000030
【図２７】
0006614155.tif 000031
【図２８】
0006614155.tif 000032
【図２９】
0006614155.tif 000033
【図３０】
0006614155.tif 000034
【図３１】
0006614155.tif 000035
【図３２】
0006614155.tif 000036